(57)【要約】【解決課題】  本発明は，着用者の腰周りに隙間を生じさせることがなく，かつ，着用者の腰周りの締め付けを軽減した着用感の優れた使い捨ておむつを提供することを解決課題とする。【解決手段】  本発明は，フロントパッチをフック材で形成し，後身頃の左右の両縁端部から延出した止着部をフック材と係合可能な繊維を含有する不織布で形成することで，着用時の安全性に優れた使い捨ておむつ得ることができるという知見に基づくものである。  本発明に係る使い捨ておむつの止着部は，後身頃をフック材と係合可能な繊維を含有する不織布で形成される。このため，使い捨ておむつを着用者の腰周りにしっかりと固定しても，使い捨ておむつの着用感を損なうことがない。【選択図】図１
2013158605.tif 000002
【特許請求の範囲】
【請求項１】
後身頃（１），前身頃（２），及び前記後身頃（１）と前記前身頃（２）の間に位置する股下部（３）から構成され，
前記前身頃（２）に，前記後身頃（１）の左右の両縁端部から延出した止着部（１１）を止め付けるためのフロントパッチ（２１）が設けられた使い捨ておむつにおいて，
前記フロントパッチ（２１）は，フック材（２２）から形成され，
前記止着部（１１）の肌当接面側の面は，前記フロントパッチ（２１）のフック材（２２）と係合可能な繊維を含有する不織布から形成される，
使い捨ておむつ。
【請求項２】
前記止着部（１１）は，少なくとも左右方向に伸縮可能である，
請求項１に記載の使い捨ておむつ。
【請求項３】
前記後身頃（１）及び前記後身頃（１）の左右の両縁端部から延出した前記止着部（１１）には，前記後身頃（１）及び前記止着部（１１）を左右方向に横切る一連の端縁領域（４）が形成され，
前記端縁領域（４）の左右の端部にかけて１又は複数の腰周り伸縮材（４３）が配置される，請求項１又は２に記載の使い捨ておむつ。
【請求項４】
前記フロントパッチ（２１）の面積Ｒと，前記後身頃（１）左右の両縁端部から延出した一方の止着部（１１）の面積Ｓとの面積比Ｓ／Ｒが０．４以上１．５以下である
請求項１から３のいずれか１項に記載の使い捨ておむつ。
【発明の詳細な説明】
【技術分野】
【０００１】
本発明は，使い捨ておむつに関する。具体的に説明すると，本発明は，前身頃に設けられた止着手段に後身頃を止め付けることにより，着用者の身体に装着される使い捨ておむつに関するものである。
【背景技術】
【０００２】
従来から，後身頃に止着テープが取り付けられ，前身頃にフロントパッチが設けられた使い捨ておむつが知られている。止着テープとフロントパッチは，例えばフック材（雄部材）とループ材（雌部材）の面ファスナーにより機械的に結合できるようになっている。このため，後身頃に設けられた止着テープを前身頃に設けられたフロントパッチに止め付けることで，使い捨ておむつを着用者の身体に装着することが可能である。
【０００３】
特許文献１には，止着テープが後身頃に設けられている使い捨ておむつが開示されている。止着テープには，止着手段としてフック材（雄部材）が用いられており，止着テープのフック材と，フロントパッチのループ材（雌部材）を機械的に結合することで，使い捨ておむつを着用者の身体に固定することができる。
【先行技術文献】
【特許文献】
【０００４】
【特許文献１】特開２００９−４５９２６号公報
【発明の概要】
【発明が解決しようとする課題】
【０００５】
しかしながら，止着手段のフック材の材質は固いため，おむつを取り付ける際に誤ってフック材を腹部や両脚部の付け根に接触させてしまうと，乳幼児などの肌を傷つけるという問題があった。
【０００６】
また，フック材は非伸縮性であるため，止着テープをフロントパッチにきつく取り付けた場合は，着用者の腰周りが締め付けられ着用感が低下するという問題があった。
【０００７】
このため，現在は，安全に着用させることができる使い捨ておむつであって，かつ，着用感の優れた使い捨ておむつが求められている。
【課題を解決するための手段】
【０００８】
そこで，本発明者は，上記従来技術の問題点を解消するために鋭意検討した結果，フロントパッチをループ材ではなくフック材で形成し，後身頃にフロントパッチのフック材と係合可能な繊維を含有する不織布で形成された止着部を設けることで，着用時の安全性に優れた使い捨ておむつ得ることができるという知見を得た。また，本発明者は，本発明に係る使い捨ておむつは，止着手段としてフック材を使用していないため，止着部をフロントパッチにしっかりと取り付けた場合であっても，着用者の着用感が低下しないという知見を得た。
具体的に，本発明は，以下の構成を有する。
【０００９】
本発明は，後身頃１，前身頃２，及び後身頃１と前身頃２の間に位置する股下部３から構成され，前身頃２に，後身頃１の左右の両縁端部から延出した止着部１１を止め付けるためのフロントパッチ２１が設けられた使い捨ておむつに関するものである。本発明の使い捨ておむつのフロントパッチは，フック材２２から形成され，後身頃１の左右の止着部１１の肌当接面側の面は，フロントパッチ１０のフック材２２と係合可能な繊維を含有する不織布から形成される。
【００１０】
上記構成のように，フロントパッチ２１を，フック材２２から形成し，後身頃１の左右の両縁端部から延出した止着部１１の肌当接面側の面を，フロントパッチ２１のフック材２２と係合可能な繊維を含有する不織布から形成することにより，止着手段としてフック材を使用することなく前身頃と後身頃を結合することができる。このため，着用時にループ材で肌を傷つけることがなく，安全性を高めることができる。また，本発明に係る使い捨ておむつは，止着手段にフック材を使用していないため，止着部１１をフロントパッチにしっかりと取り付けた場合であっても，着用者に不快感を与えることがない。
【００１１】
本発明において，後身頃１の左右の両縁端部から延出した止着部１１は，少なくとも左右方向に伸縮可能であることが好ましい。
【００１２】
上記構成のように，伸縮可能な構成とすることにより，止着部１１は，着用者の動きに対して追従して伸縮可能となる。その結果，本発明に係る使い捨ておむつは，着用者の動きを阻害することなく，着用者の腰周りにフィットした状態を維持することができる。
また，上記構成とすることで，止着部１１をフロントパッチにしっかりと取り付けた場合であっても，着用者の着用感を損なうことがない。
【００１３】
本発明において，後身頃１及び後身頃１の左右の両縁端部から延出した止着部１１には，後身頃１及び止着部１１を左右方向に横切る一連の端縁領域４が形成され，端縁領域４の左右の端部にかけて１又は複数の腰周り伸縮材４３が配置されるが好ましい。
【００１４】
上記構成のように，後身頃１及び止着部１１を左右方向に横切る一連の端縁領域４に腰周り伸縮材４３を配置することにより，着用感及びフィット感をさらに高めることができる。また上記構成では，後身頃１の端縁領域４に，止着部１１の左右の端部にかけて弾性伸縮材が一連となって配置されるため，腰周りギャザー３８及び両縁端部ギャザー３９の製造工程を簡略化することができる。その結果，使い捨ておむつの製造コストを抑えることができる。
【００１５】
本発明において，フロントパッチ２１の面積Ｒと，後身頃１左右の両縁端部から延出した一方の止着部１１の面積Ｓとの面積比Ｓ／Ｒは０．４以上１．５以下であることが好ましい。
【００１６】
上記構成のように，後身頃１の左右の両縁端部から延出した止着部１１の面積の和をフロントパッチ２１の面積よりも大きくすることにより，止着部１１でフロントパッチ２１の表面を全て覆うことができる。これにより，フロントパッチ２１を形成するフック材２２の露出を減らすことができる。フック材２２は固い材質であるため，フック材２２の露出を減らすことにより，着用者の腕や手がフック材２２に触れてしまった時の不快感を軽減することができる。
【発明の効果】
【００１７】
本発明は，上述した発明特定事項を有することにより，乳幼児などの肌を傷つけることなく，使い捨ておむつを装着することができる。また，本発明は，止着手段としてフック材２２などの固い部材を使用していないため，止着部１１をフロントパッチ１１にしっかりと取り付けた場合であっても，着用者に不快感を与えることがない。
【００１８】
また，止着部１１の不織布を伸縮可能とすることにより，着用者の腰周りを必要以上に締め付けることがなくなる。また，着用者の動きに対して追従して伸縮可能となるため，着用者の動きを阻害せず，使い捨ておむつのフィット感を高めることできる。
【図面の簡単な説明】
【００１９】
【図１】図１は，テープ型使い捨ておむつの例を示す斜視図である。
【図２】図２は，テープ型使い捨ておむつの例を示す展開図である。
【図３】図３は，フロントパッチと止着部の結合部を示す拡大図である。
【図４】図４は，ある実施形態に係るテープ型使い捨ておむつの例を示す展開図である。
【図５】図５は，ある実施形態に係るテープ型使い捨ておむつの例を示す展開図である。
【発明を実施するための形態】
【００２０】
以下，本発明を実施するための形態について説明する。本発明は，以下に説明する形態に限定されるものではなく，以下の形態から当業者が自明な範囲で適宜修正したものも含む。
【００２１】
なお，本明細書において，「左右方向」とは，図２に示される展開された使い捨ておむつの短手方向（図２中の左右方向）を意味する。また，「上下方向」とは，図２に示される展開された使い捨ておむつの長手方向（図２中の上下方向）を意味する。「左右方向」と「上下方向」は，互いに直交する方向である。
また，本明細書において，「Ａ〜Ｂ」とは，Ａ以上Ｂ以下であることを意味する。
【００２２】
（１．使い捨ておむつの基本構成）
図１は，使い捨ておむつの例を示す斜視図であり，前身頃２の外表面に取り付けられたフロントパッチ２１が見えるように，前身頃２を折り返した状態を描画したものである。図２は，使い捨ておむつの例を示す展開図であり，使い捨ておむつを，装着時において着用者の肌に当接しない面（肌非当接面）側から見た状態を示している。
図１及び図２に示されるように，本発明の使い捨ておむつ１００は，装着時に着用者の背部を覆う後身頃１，着用者の腹部を覆う前身頃２，及び着用者の股下にあてがわれる股下部３の各部から構成される。
【００２３】
使い捨ておむつ１００の後身頃１には，左右両方向に止着部１１が延設されている。後身頃１の止着部１１の肌当接面側の面は，前記フロントパッチ２１のフック材２２と係合可能な繊維を含有する不織布から形成される。一方，前身頃２の肌非当接面側には，後身頃１の止着部１１を止め付けるためのフロントパッチ２１が設けられている。このため，使い捨ておむつ１００は，後身頃１を着用者の背部にあてがい，前身頃２を着用者の腹部にあてがった状態で，後身頃１の左右の止着部１１を，前身頃２に設けられたフロントパッチ２１に止め付けることにより，着用者に装着することが可能である。
尚，図１〜図５では，フロントパッチ２１が他の部位と区別されやすいように，フロントパッチ２１に点掛け模様を付して示している。
【００２４】
後身頃１と前身頃２の間には股下部３が位置する。この股下部３を中心として，後身頃１から前身頃２にかけて，尿などの液体を吸収し保持するための吸収体３１が配設されている。この吸収体３１は，着用者の肌に当接する面（肌当接面）側から液透過性のトップシート３２によって被覆され，反対側の肌非当接面側から液不透過性のバックシート３３によって被覆されている。従って，尿などの液体は，トップシート３２を透過して，吸収体３１に吸収保持され，液透過性のバックシート３３によって外部への漏出が阻止される。
【００２５】
また，トップシート３２の両側縁にはサイドシート３４を配設することとしてもよい。サイドシート３４は，疎水性を有しながらも通気性の高い材料によって形成されていることが好ましい。また，サイドシート３４の一端をトップシート３２の表面上に固定し，その他端に弾性伸縮材（立体ギャザー伸縮材）４１を伸長状態で配設することにより，立体ギャザー３５を形成することとしてもよい。この立体ギャザー３５は，立体ギャザー伸縮材４１が収縮すると，その収縮力を利用して起立する。起立した立体ギャザー３５は，トップシート３２の側方から液体が漏洩することを防止するための防漏壁として機能する。
【００２６】
また，バックシート３３の外表面には，バックシート３３を補強し，その手触りを良くするために，カバーシート３６を貼り合わせることとしてもよい。カバーシート３６を形成する材料としては，例えば，ポリエチレン，ポリプロピレン，ポリエステルのような熱可塑性樹脂からなる不織布，又は湿式不織布を用いることができる。
【００２７】
（２．使い捨ておむつの各部構成）
以下，本発明に係るテープ型使い捨ておむつの各部の構成について説明する。
【００２８】
（２−１．フロントパッチ）
フロントパッチ２１は，後身頃１の左右の止着部１１を，前身頃２に止め付けて保持するための部材である。フロントパッチ２１は，前身頃２の外表面（肌非当接面側）に取り付けられており，ベースシートと，該ベースシート上に設けられるフック材２２から形成される。
【００２９】
図３は，フロントパッチ２１の表面に形成されたフック材２２と，フック材２２と係合する止着部１１の係合領域の拡大図を示したものである。図３に示されているように，フロントパッチ２１の肌非当接面側には，多数のフック材２２が設けられている。このフック材２２と，表面に凹凸構造を持った止着部１１が係合する。フック材２２と止着部１１は，繰り返し着脱が可能な構造をとり，図中の矢印で示した方向に着脱する。
【００３０】
フック材２２は，ベースシートと該ベースシートの表面から起立する多数の係合突起から形成されるものである。フック材２２は，例えば，鉤状，きのこ状，錨状等の各種の形状をとることができる。フック材２２が止着部１１を形成する不織布にしっかりと止め付けることができるように，フック材２２の尖端部に，さらに凹凸状の係止部を有することとしても良い。また，止着部１１を形成する不織布の繊維質の性状に合わせて，フック材２２の形状を変えることができる。
【００３１】
フック材２２を構成する材料としては，例えば，ナイロン，ポリプロピレン，又は合成繊維，合成樹脂を用いることができる。フック材２２は，これらの材料を１つ又は２つ以上組み合わせて，成形又は押出し製法によって形成される。フック材２２の材質は，止着部１１を形成する不織布の繊維質の性状に合わせて適宜選択することができる。
【００３２】
また，フック材２２は，繊維を含有した不織布の表面としっかりと固着するために，通常のおむつの止着手段に用いるフック材２２よりも嵩高いフック材２２を用いることが好ましい。例えば，フック材２２をベースシート上に設ける場合，フックシートの嵩高さは，０．０１〜２ｍｍ，好ましくは０．０５〜１ｍｍ，より好ましくは０．１〜０．５ｍｍである。
【００３３】
フロントパッチ２１のベースシートの形状は，図１に示した形状に限定されるものではなく，様々な形とすることができる。例えば，フロントパッチ２１は，楕円形や，正方形，各辺に凹凸を設けた形としても良い。
【００３４】
フロントパッチ２１の面積は，おむつの大きさによって適宜調節することができる。使い捨ておむつが大人用の場合，フロントパッチ２１の面積は，５０〜９００ｃｍ２，好ましくは１００〜７５０ｃｍ２，より好ましくは３００〜７００ｃｍ２である。使い捨ておむつが子供用の場合，フロントパッチ２１の面積は，１０〜６００ｃｍ２，好ましくは１０〜３００ｃｍ２，より好ましくは２０〜１００ｃｍ２である。
【００３５】
また，図４に示されているように，フロントパッチ２１は，複数個に分けて設けても良い。複数個に分けて設けることにより，フロントパッチ２１を構成するベースシートの面積を減らすことができ，原料費を削減することができる。
【００３６】
（２−２．止着部）
本明細書において，「止着部」とは，図１に示す領域１１のように，後身頃１の左右の側縁から外側に張り出したシート部分を意味するものとする。止着部１１は，後身頃１の左右両方向に延出したサイドフラップに延設されても良い。ここで，「サイドフラップ」とは，股下部３の左右方向の幅よりも左右に延出した後身頃１のことをいう。
後身頃１の止着部１１の肌当接面側の面は，フロントパッチ２１のフック材２２と係合する。これにより，使い捨ておむつの後身頃１の止着部１１を前身頃２に止め付けて保持することが可能となる。
【００３７】
後身頃１の止着部１１の肌当接面側の面は，フロントパッチ２１のフック材２２と係合可能な繊維を少なくとも一部に含有する不織布から形成される。止着部１１の肌当接面側の面を形成する繊維を含有する不織布は，その表面に多数の凹凸構造を有する。止着部１１の肌当接面側の面の凹凸部構造にフロントパッチ２１のフック材２２が引っ掛かり，止着部１１とフロントパッチ２１が係合する。止着部１１の肌当接面側の面を形成する不織布はフロントパッチ２１のフック材２２と係合することが可能なメス材として機能する。
【００３８】
止着部１１の肌当接面側の面を形成するフック材２２と係合可能な繊維を含有する不織布の表面には，多数の凹凸構造を形成するために，不織布の表面には，繊維質の不織材が編み込まれていても良い。繊維質の不織材は，不織布の表面に凹凸構造を形成する。繊維材料製の不織材は，糸状の繊維質でも良く，ループ状に編み込まれていても良い。繊維質の不織材には，柔軟性に優れた素材を用いることが好ましい。柔軟性に優れた繊維質の不織材を用いることにより，止着部１１が着用者の肌に接触した場合であっても，着用者に不快感を与えることがない。
【００３９】
また，止着部１１の肌当接面側の面を形成するフック材２２と係合可能な繊維を含有する不織布の表面には，多数の凹凸構造を形成するために微細孔が設けられていても良い。微細孔は，フック材２２と係合可能な繊維を絡み合わせる過程において，形成されるものであっても良いし，不織布を製造した後に微細孔を形成するものであっても良い。不織布を製造した後に微細孔を形成する場合は，針状突起物などを不織布の表面に押し当てて，微細孔を形成することができる。微細孔の直径は，０．０１ｍｍ〜０．５ｍｍであればよく，０．０２ｍｍ〜０．１ｍｍであることが好ましい。
【００４０】
本発明においては，後身頃１の止着部１１の肌当接面側の面が全て，フック材２２と係合可能な繊維を含有する不織布から形成されるものとすることが好ましい。後身頃１の止着部１１の肌当接面側の面の全域がフック材２２と係合可能な繊維を含有することで，フック材２２と係合可能なターゲット領域（係合可能領域）が止着部１１に広く設けられることになる。フック材２２のターゲット領域を広く設けることにより，フック材２２と止着部１１はより強固に結合することができる。
【００４１】
本明細書中の図においては，止着部１１が後身頃１の左右の各側縁部に１つずつ設けられた例が示されている。ただし，止着部１１の数は，左右の各側縁部に２つずつ設けられたものであってもよいし，３つ以上設けられていてもよい。
【００４２】
止着部１１は後身頃１に接合されて形成されるものであっても良い。止着部１１を後身頃１に接合する場合は，融着によって接合することが好ましい。融着により止着部１１と後身頃１を接合することにより，接合部が剥離することを防ぐことができる。例えば，融着の方法としては，エンボス加工といった加熱加圧融着，超音波融着といったものが上げられる。
【００４３】
また，止着部１１は後身頃１に接合することなく，後身頃１と一体として成型しても良い。止着部１１と後身頃１を一体成型する場合，止着部１１と後身頃１の間に接合部を設けなくてよい。このため，止着部１１と後身頃１の接合部が剥離することを防ぐことができる。
止着部１１と後身頃１を一体成型する場合は，１枚の不織布を止着部１１と後身頃１を合わせた形状となるように裁断すれば良い。この場合，後身頃１に止着部１１を別途接合する工程を設ける必要がなくなるため，製造工程が簡略化され，製造コストを抑制することができる。
【００４４】
図５に示すように，後身頃１の左右方向の端縁と，止着部１１の左右方向の端縁であって腰周り側の端縁を同一線上に設け，止着部１１の上下方向の長さと，後見頃の上下方向の長さを同一としても良い。止着部１１の上下方向の長さと，後見頃の上下方向の長さが同一の場合の止着部１１は，前身頃２のサイドフラップの左右の端縁を延長した線よりも左右方向の外側に延出した領域のことをいう。図５では，後身頃１と止着部１１の境界線を一点鎖線で示している。図５では，一点鎖線より左右方向に外側の領域が止着部１１となる。
【００４５】
止着部１１の上下方向の長さと，後見頃の上下方向の長さを同一とすることで，左右方向の引っ張り強度に対する耐性が強くなり，止着部１１が，後身頃１から剥離することを防ぐことができる。さらに，止着部１１の上下方向の長さを長くすることで，腰周りの被覆面積が広くなり，着用者の安心感を高めることができる。
また，止着部１１の上下方向の長さと，後見頃の上下方向の長さは同一とすることで，止着部１１と後身頃１を一体成型する場合に用いる裁断刃の形状を単純化できる利点がある。裁断刃の形状を単純化することで，裁断のスピードを上げることができ，製造効率が良くなる。また，裁断時に生じる布カスなどの処理をする必要もなくなるため，製造時のトラブルを減らすことができる。
【００４６】
後身頃１の左右の両縁端部から延出した止着部１１の左右方向の長さは，前身頃２に配置されたフロントパッチ２１に届く程度であればよい。止着部１１の左右方向の長さは，例えば，３ｃｍ〜２０ｃｍであればよく，５ｃｍ〜１５ｃｍであることが好ましい。
また，止着部１１の形状は図示されたものに限定されない。止着部１１の形状は，例えば，四角形，楕円形，三角形，又は各辺が波形状であっても良い。
【００４７】
止着部１１を構成する不織布としては，エアスルー不織布，スパンボンド不織布，ヒートロール不織布，ケミカルボンド不織布等を用いることができるが，特に，嵩高で繊維の自由度の高い不織布であるエアスルー不織布を用いることが好ましい。また，不織布を構成する繊維としては，綿，羊毛，パルプ，ポリプロピレン繊維，ポリエチレン繊維，ナイロン繊維，ビニロン繊維，ポリエステル繊維，ポリオレフィン繊維，セルロース繊維，ビスコースレーヨン繊維，キュプラレーヨン繊維，短繊維ステープルファイバー，又は長繊維フィラメントを用いることができる。また，芯鞘型やサイド・バイ・サイド型の複合繊維を用いることもできる。また，繊維を構成する材料として，各種熱可塑性樹脂を用いることができる。
【００４８】
また，止着部１１を構成する不織布は，左右方向に伸縮可能であることが好ましい。このため，止着部１１を構成する不織布として，伸縮性不織布を用いても良い。伸縮性不織布を用いることで，止着部１１をフロントパッチにしっかりと取り付けた場合であっても，着用者に与える圧迫感を軽減することができる。また，伸縮性不織布を用いることで，おむつ全体のフィット感を高めることができる。
尚，伸縮可能なとは，不織布に引っ張り力を与えていない時の左右方向の長さを１とした場合，不織布に引っ張り力を与えた場合の左右方向の長さが１．１〜５となることをいう。
【００４９】
伸縮性不織布としては，エラストマー繊維を主体として用いることが好ましい。エラストマー繊維としては，ウレタン系エラストマー，スチレンとブチレンあるいはイソプレンなどとの共重合体として知られる熱可塑性のスチレン系エラストマー，エチレンとαオレフィンとの共重合体，プロピレンとαオレフィンとの共重合体などのオレフィン系エラストマー等を構成材料とする繊維があげられ，これらの中でもウレタン系エラストマー，スチレン系エラストマーを用いることが好ましい。伸縮性不織布には，２種以上の高分子材料を含む繊維や複合繊維を用いることもできる。
【００５０】
フロントパッチ２１の表面を覆う止着部１１の面積は，フロントパッチ２１の大きさに合わせて設計することが好ましい。例えば，フロントパッチ２１の面積をＲとし，後身頃１の左右の両縁端部から延出した一方の止着部１１の面積をＳとした場合，これらの面積比Ｓ／Ｒが０．４以上１．５以下であることが好ましい。Ｓ／Ｒを０．４以上１．５以下とすることにより，左右両方の止着部１１でフロントパッチ２１の表面の８０％以上の範囲を覆うことができる。
【００５１】
フロントパッチ２１の表面の全域を止着部１１で覆うことで，フック材２２が表面に露出しなくなる。これにより，フック材２２が衣服に引っかかるといった不具合の発生を防止することができる。また，表面に露出したフック材２２が着用者の腕や手に当たることで，傷をつけたり，不快感を与えるという事態を防ぐことができる。
【００５２】
フロントパッチ２１の面積をＲとし，後身頃１の左右の両縁端部から延出した一方の止着部１１の面積をＳとした場合，Ｓ／Ｒが０．４以上１．５以下であることが好ましい。Ｓ／Ｒが０．４よりも小さい場合，表面に露出するフック材２２の面積が大きくなる。フック材２２の面積が大きくなると，フック材２２が着用者の腕や手に当たる頻度が増し，着用者に不快感を与えることになる。一方，Ｓ／Ｒが１．５よりも大きい場合，止着部１１が前身頃２からはみ出してしまうことがある。止着部１１が前身頃２からはみ出してしまうと，止着部１１が両脚部の付け根や腹部に接触し，擦れってしまうため，着用者に不快感を与えることになる。
【００５３】
さらに，フロントパッチ２１の面積をＲとし，後身頃１の左右の両縁端部から延出した一方の止着部１１の面積をＳとした場合，Ｓ／Ｒが０．５以上０．８以下であることが好ましく，Ｓ／Ｒが０．５であることがより好ましい。Ｓ／Ｒを０．５以上とすることで，フロントパッチ２１の表面の全域を覆うことができる。また。Ｓ／Ｒを０．８以下とすることで，フロントパッチ２１の表面と結合しない，止着部１１の余剰面積を減らすことができる。Ｓ／Ｒを０．５とした場合，フロントパッチ２１の表面の全域を覆うことができ，かつ止着部１１の余剰面積が生じることがない。
【００５４】
後身頃１の止着部１１を形成する不織布は多層性構造としても良い。多層性構造の肌当接面側の面と，多層性構造の肌当接面側と逆側の面は，異なる素材で形成しても良い。肌当接面側の面は，上述したとおり，フロントパッチ２１のフック材２２と係合可能な繊維を少なくとも一部に含有する不織布から形成し，肌当接面側と逆側の面は，フロントパッチ２１のフック材２２と係合可能な繊維を含有しない不織布から形成することができる。
【００５５】
肌当接面側と逆側の面は，着用者の腕や手に触れる面であるため，乳幼児の肌に触れても刺激の少ない柔軟性に優れた素材を用いることが好ましい。肌当接面側と逆側の面を構成するものとしては，例えば，シルク，湿式不織布，又は綿といった天然素材を用いることもできる。肌当接面側と逆側の面に柔軟性に優れた素材を用いることで，使い捨ておむつの質感を向上させ，高級感を持たせることができる。
【００５６】
また，肌当接面側と逆側の面は，表面に露出する面であるため，色や柄を付しても良い。また，肌当接面側と逆側の面は，着用者の目につきやすい場所であるため，使い捨ておむつの使用方法や，使用上の注意等，又は品質表示を施しても良い。
【００５７】
（２−３．各種ギャザー）
本発明に係る使い捨ておむつにおいては，脚部周りギャザー３７や，腰周りギャザー３８，及び，止着部ギャザー３９を形成することが好ましい。
【００５８】
脚部周りギャザー３７は，使い捨ておむつの脚部周りの開口部から，尿などの液体が漏出する事態を防止するための部材である。脚部周りの開口部に沿って，脚部周り伸縮材４２が伸長状態で配置され，この脚部周り伸縮材４２の収縮力を利用して，脚部周りギャザー３７が形成される。これにより，脚周りに隙間が形成され難くなり，脚周り開口部からの尿漏れを効果的に防止することができる。また，脚部周りギャザー３７を形成すると，おむつを交換する際に吸収体３１の両側で脚部周り伸縮材４２が収縮するため，股下部３が全体として椀状に変形する。このため，尿や体液が椀状に形成された股下部３に溜まり，尿をこぼすことなく容易におむつの交換を行うこともできるようになる。
【００５９】
また，腰周りギャザー３８は，使い捨ておむつの腰周りの開口部からの尿漏れを防止するとともに，使い捨ておむつのフィット性を向上させ，おむつのずり下がりを防止するための部材である。腰周りの開口部にそって，腰周り伸縮材４３が伸長状態で配置され，この腰周り伸縮材４３の収縮力を利用して，腰周りギャザー３８が形成される。これにより，使い捨ておむつの腰周り開口部が，着用者の腹部と背部に密着するため，尿漏するとともに，フィット感を向上させることができる。
【００６０】
止着部ギャザー３９は，後身頃１の止着部１１の伸縮性を持たせ，おむつを装着させやすくするための部材である。止着部１１の左右方向の他端に止着部伸縮材４４を固定し，その他端に止着部伸縮材４４を伸長状態で配設することにより，止着部ギャザー３９を形成する。止着部１１に止着部ギャザー３９を形成し，収縮性を持たせることで，止着部１１をフロントパッチにしっかりと取り付けた場合であっても，着用者に圧迫感を与えることを防ぐことができる。また，止着部１１に止着部ギャザー３９を形成し，収縮性を持たせることで，おむつの装着に不慣れな者であっても簡単におむつを装着することができる。
【００６１】
止着部１１は，その全域が収縮性を有し，かつ，その全域がフロントパッチ２１のフック材２２と結合することができる。止着部１１の肌当接面側の面は，フック材２２と係合可能な繊維を含有する不織布から形成されるため，止着部１１の肌当接面側の面のいずれの場所においても，フロントパッチ２１のフック材２２と結合することができる。また，止着部１１が収縮性を有するため，着用者の多様な腰周りサイズにも対応することができる。
【００６２】
また，後身頃１及び後身頃１の左右の両縁端部から延出した止着部１１には，後身頃１及び止着部１１を左右方向に横切る一連の端縁領域４を形成し，その端縁領域４の左右の端部にかけて１又は複数の腰周り伸縮材４３を配置することとしても良い。後身頃１及び止着部１１を左右方向に横切る一連の端縁領域４に腰周り伸縮材４３を配置することにより，腰周りギャザー３８と止着部ギャザー３９が一連となって形成される。腰周りギャザー３８と止着部ギャザー３９が一連となって左右方向に長さのなるギャザーを形成することにより，腰周りのフィット感がより向上する。
また，腰周りギャザー３８と止着部ギャザー３９を一連のものとして形成することができるため，ギャザーを形成する製造工程を簡略化することができる。これにより，使い捨ておむつの製造コストを抑えることができる。
【００６３】
尚，本明細書において，「端縁領域」とは，図５に示す領域４のように，後身頃１及び止着部１１を左右方向に横切る領域を意味するものとする。端縁領域４は，後身頃１の端縁から吸収体３１の端部までの間に形成されることが好ましい。また，端縁領域４は後身頃１の開口部側の端側に形成されることが好ましい。
【００６４】
端縁領域４において，端縁領域４の一方の端部に腰周り伸縮材４３を固定し，端縁領域４の他方の端部に腰周り伸縮材４３を伸長状態で配設することにより，腰周りギャザー３８と止着部ギャザー３９を一連のものとして形成することができる。後身頃１に形成される腰周りギャザー３８と止着部ギャザー３９を一連のものとして形成することにより，製造工程を大幅に簡略化することができ，製造コストを抑制することができる。
また，腰周りの広範囲にわたって，一連のギャザーが形成されることで，使い捨ておむつのフット感がより向上する。
【００６５】
上記した，脚部周り伸縮材４２，腰周り伸縮材４３，又は止着部伸縮材４４としては，例えば，天然ゴムや合成ゴム（ウレタンゴム等）の弾性材からなるゴム，伸縮性ネット，伸縮性フィルム，伸縮性フォーム（ウレタンフォーム等）を採用することができる。これらの，伸縮材は，おむつの他の構成部材に対して，接着剤その他の手段により固定される。固定方法としては，例えば，ホットメルト接着剤，その他の流動性の高い接着剤を用いた接着であってもよいし，ヒートシールのような熱や超音波等による溶着であってもよい。
【００６６】
（２−４．立体ギャザー）
本発明に係る使い捨ておむつにおいては，さらに立体ギャザー３５を設けることが好ましい。
【００６７】
立体ギャザー３５は，着用者の排泄した尿などがおむつ外部へ漏出することを防止するための防漏壁として機能する部材である。立体ギャザー３５は，トップシート３２やバックシート３３とは異なるサイドシート３４により形成されることとしてもよい。例えば，サイドシート３４の一端側をトップシート３２の表面に固着し，他端側に立体ギャザー伸縮材４１を伸長状態で配設する。これにより，立体ギャザー３５は，立体ギャザー伸縮材４１の収縮力により起立し，おむつの脚周り開口部等から尿などの液体が漏出するする横漏れを有効に防止することができる。
【００６８】
立体ギャザー３５は，股下部３からの漏れを防止するため，少なくとも股下部３に形成されていればよいが，後身頃１や前身頃２にかけて形成されていてもよい。また，立体ギャザー３５は，股下部の左右側方に，少なくとも１対以上形成されていればよく，例えば，股下部の左右側方に２対以上形成することとしてもよい。
【００６９】
（２−５．吸収体）
吸収体３１は，着用者の尿を吸収し保持するための部材である。吸収体３１は，着用者の尿や体液を吸収し保持ために，吸収性材料によって構成される。吸収性材料としては，例えば，フラッフパルプ，高吸水性ポリマー（Ｓｕｐｅｒ  Ａｂｓｏｒｂｅｎｔ  Ｐｏｌｙｍｅｒ；「ＳＡＰ」），親水性シート等を採用することができる。フラッフパルプの例は，木材パルプや非木材パルプを綿状に解繊したものである。高吸水性ポリマーの例は，ポリアクリル酸ナトリウムである。親水性シートとしては，例えば，ティシュ，吸収紙，親水化処理を行った不織布を用いることができる。
【００７０】
吸収体３１は，トップシート３２とバックシート３３の間に挟み込まれ，両シートの周縁部が封着されることによって，トップシート３２とバックシート３３との間に封入される。吸収体３１の形状は，図示された形状に制限されるものではなく，例えば，矩形状，ひょうたん型，Ｔ字型とすることができる。図１や図２に示されたテープ型おむつ１００では，吸収体３１として砂時計型の吸収体を採用している。
【００７１】
（２−６．トップシート）
トップシート３２は，吸収体３１の肌当接面側を被覆するように配置される液透過性のシートである。トップシート３２は，尿などの液体を，その下面側に配置された吸収体３１に浸透させる。
【００７２】
トップシート３２を構成する液透過性材料として，例えば，織布，不織布，多孔性フィルを採用することができる。特に，ポリプロピレン，ポリエチレン，ポリエステル，ナイロンのような熱可塑性樹脂からなる不織布に親水化処理を施したものを用いることが好ましい。
【００７３】
トップシート３２は，単一のシート材によって構成されていてもよいが，複数のシート材によって構成されていてもよい。例えば，吸収体の表面部に配置されるシートと，サイ
ドフラップの部分に配置されるシートを組み合わせた構成であってもよい。
【００７４】
（２−７．バックシート）
バックシート３３は，吸収体３１を肌非当接面側から被覆するように配置される液不透過性のシートである。バックシート３３は，吸収体３１により保持されている液体が，おむつ外部に漏洩してしまうことを防止する。
【００７５】
バックシート３３を構成する液不透過性材料としては，例えば，ポリエチレン等の樹脂からなる液不透過性フィルム等を採用することができる。特に，微多孔性ポリエチレンフィルムを用いることが好ましい。この微多孔性ポリエチレンフィルムは，０．１μｍ程度の微細な孔が多数形成されており，液不透過性ではあるが透湿性を有するためおむつ内部の蒸れを防止することができるという点において好ましい。
【００７６】
また，バックシート３３の外表面には，バックシート３３を補強し，その手触りを良くするために，カバーシート３６を貼り合わせることとしてもよい。カバーシート３６を形成する材料としては，例えば，ポリエチレン，ポリプロピレン，ポリエステルのような熱可塑性樹脂からなる不織布，又は湿式不織布を用いることができる。
【産業上の利用可能性】
【００７７】
本発明，乳幼児用，或いは介護を必要とする高齢者や障害者等の成人用の使い捨ておむに適用することができる。従って，本発明は，育児産業や介護産業等において好適に利用し得る。
【符号の説明】
【００７８】
１        後身頃
２        前身頃
３        股下部
４        端縁領域
１１      止着部
２１      フロントパッチ
２２      フック材
３１      吸収体
３２      トップシート
３３      バックシート
３４      サイドシート
３５      立体ギャザー
３６      カバーシート
３７      脚部周りギャザー
３８      腰周りギャザー
３９      止着部ギャザー
４１      立体ギャザー伸縮材
４２      脚部周り伸縮材
４３      腰周り伸縮材
４４      止着部伸縮材
１００    使い捨ておむつ
【図１】
2013158605.tif 000003
【図２】
2013158605.tif 000004
【図３】
2013158605.tif 000005
【図４】
2013158605.tif 000006
【図５】
2013158605.tif 000007